(57)【要約】      （修正有）【課題】歯科用印象と歯科用模型とを容易に分離させることができ、分離の際に歯科用模型が破損してしまうことを防止することが可能な歯科用印象分離装置を提供する。【解決手段】分離装置は、歯科用印象を収める印象用トレーＴを固定するトレー固定部材１と、印象用トレーＴに収められた歯科用印象に付着した石膏Ｐｌを固定する石膏固定部材と、トレー固定部材１に収められた歯科用印象と石膏固定部材に固定された石膏Ｐｌとを、石膏Ｐｌに形成された歯牙の植立方向に沿って分離する分離用ネジ１７，１９とを備える。【選択図】図５
2008006271.tif 000002
【特許請求の範囲】
【請求項１】
歯科用印象を収める印象用トレーを固定するトレー固定手段と、
前記印象用トレーに収められた前記歯科用印象に付着した石膏を固定する石膏固定手段と、
前記トレー固定手段に収められた前記歯科用印象と前記石膏固定手段に固定された前記石膏とを、前記石膏に形成された歯牙の植立方向に沿って分離する分離手段とを備えること、
を特徴とする歯科用印象分離装置。
【請求項２】
前記分離手段は、前記トレー固定手段、又は前記石膏固定手段の少なくとも一方に支持されたネジ部材であり、
前記ネジ部材は、回動することによって前記トレー固定手段と前記石膏固定手段とを分離することが可能に形成されていること、
を特徴とする請求項１記載の歯科用印象分離装置。
【請求項３】
前記分離手段は、前記ネジ部材を少なくとも３本備えること、
を特徴とする請求項２記載の歯科用印象分離装置。
【請求項４】
前記トレー固定手段は、前記印象用トレーの取っ手部分を固定すること、
を特徴とする請求項１乃至請求項３の何れかの項記載の歯科用印象分離装置。
【請求項５】
前記石膏固定手段は、前記石膏を前記分離手段による分離方向とは略垂直に固定すること、
を特徴とする請求項１乃至請求項４の何れかの項記載の歯科用印象分離装置。
【発明の詳細な説明】
【技術分野】
【０００１】
本発明は、歯科用印象と石膏とを分離する歯科用印象分離装置に関する。
【背景技術】
【０００２】
従来、歯科技工士が、歯科医師によって患者から採取された歯科用印象の石膏模型を形成する際、まず印象用トレーに収められた、例えばシリコンによって形成された歯科用印象に石膏を流し込む。そして、石膏が硬化した後、該石膏によって形成された患者の歯型模型を歯科用印象から分離する。そして、石膏によって形成された歯型模型と、歯科用印象を分離する方法としては、一方の手で歯型模型を押さえ、他方の手で歯科用印象、又は該歯科用印象が収められた印象用トレーを押さえ、腕力によってこれらを分離する手法が用いられている。しかし、歯型模型と歯科用印象とが密着した状態にあることに起因して、腕力によって歯型模型と歯科用印象とを分離しようとすると、相当な腕力が必要となり、これらを分離することが困難であるという問題があった。また、腕力によってこれらを分離しようとすると、歯科用印象に余分な負荷が加わり、歯型模型に形成された歯牙が破損してしまうという問題があった。
【０００３】
この様な課題を解決する為の石膏取出装置としては、特許文献１に記載された装置がある。
【０００４】
【特許文献１】特開平２−２９９６５０公報
【０００５】
具体的には、この特許文献１には、歯科用印象を収める上フラスコと、該上フラスコに形成された切り込みと、該切り込みに挿し込む係止片と、石膏を収める下フラスコと、該下フラスコを固定する手段とを備える石膏取出装置が記載されている。そして、石膏取出装置は、上フラスコと下フラスコとが重なった状態で係止片を切り込みに挿し込み、ネジ等を用いて係止片を垂直方向に移動させることで上フラスコに収められた歯科用印象を、下フラスコに収められた石膏から分離することとしている。
【発明の開示】
【発明が解決しようとする課題】
【０００６】
ところで、上述の様な石膏取出装置を使用した場合、該装置では垂直方向にしか上フラスコを移動させることができない為、石膏によって形成される歯科用模型の形状によっては、歯科用模型が破損してしまうという問題があった。歯科用印象によって現される歯型は患者毎にことなるものであるが、該石膏取出装置を使用した場合、歯型に合わせて上フラスコと下フラスコの分離作業を行うことができない。そして、特に、歯科用模型における細い歯牙が形成された箇所や、歯科用印象を形成するシリコンが歯牙の下部に回り込んでしまっている箇所では、歯科用印象又は歯科用模型を垂直方向に分離することで破損し易い状態となっている。
【０００７】
そこで、本発明はこの様な実情に鑑みてなされたものであり、歯科用印象と歯科用模型とを容易に分離させることができ、分離の際に歯科用模型が破損してしまうことを防止することが可能な歯科用印象分離装置を提供することを目的とする。
【課題を解決するための手段】
【０００８】
上記課題を解決する為に、本発明に係る歯科用印象分離装置は、歯科用印象を収める印象用トレーを固定するトレー固定手段と、前記印象用トレーに収められた前記歯科用印象に付着した石膏を固定する石膏固定手段と、前記トレー固定手段に収められた前記歯科用印象と前記石膏固定手段に固定された前記石膏とを、前記石膏に形成された歯牙の植立方向に沿って分離する分離手段とを備えることを特徴としている。
【０００９】
この構成によれば、歯科用印象分離装置は、分離手段によって石膏固定手段に固定された石膏と、歯科用印象とを、該石膏に形成された歯牙の植立方向に沿って分離することが出来る。そして、分離手段によって石膏と歯科用印象とを分離する方向を歯牙の植立方向に沿った方向とすることで分離作業中に歯牙が破損することを防止することができる。また、分離手段によって石膏と歯科用印象とを分離することができる為、腕力を使用することなく容易にこれらを分離することができる。
【発明の効果】
【００１０】
この様に本発明によれば、歯科用印象と歯科用模型とを容易に分離することができ、且つ、分離の際に歯科用模型が破損してしまうことを防止することができる。
【発明を実施するための最良の形態】
【００１１】
以下、本発明を適用した具体的な実施の形態について図面を参照しながら詳細に説明する。
【００１２】
本発明の実施の形態に係る分離装置は、例えば歯科医師が採取した、患者の歯型が形成された歯科用印象と、該歯科用印象を型として石膏により形成された歯科用模型とを分離する。そして、分離作業を行う際、ユーザは、複数箇所に形成されたネジを歯牙の植立方向を検討しながら少しずつ回転させて歯科用印象と歯科用模型とを分離することで歯科用模型が破損することを防止することができる。
【００１３】
図１に示す様に分離装置は、印象用トレーを固定するトレー固定台１を備える。トレー固定台１は、略Ｕ字型の平面を備える台座３と、印象用トレーを支持するトレー固定部５とを備える。
【００１４】
台座３は、歯科用模型によって形成される歯の並びの様に、略Ｕ字形状を備える。詳細は後述するが、トレー固定台１によって印象用トレーを固定する際は、両者は、歯科用模型の歯によって形成されるＵ字型と、台座３によって形成される略Ｕ字型が同一の方向を向く様に、且つ両者の中心線が重複する様に配置される。
【００１５】
この様なトレー固定台１は、図２に示す様な印象用トレーＴを固定する。尚、同図に示す様に、印象用トレーＴは、一般的に用いられている印象用トレーであり取っ手部の先端にシリコン等の印象材を詰め込むＵ字形状のトレーが形成された印象用トレーである。そして、説明の便宜上、印象用トレーＴに備えられた図示せぬ印象材上には、既に歯科模型用の石膏Ｐｌが流し込まれ、硬化し、石膏Ｐｌが歯科用印象に付着した状態にあるものとする。
【００１６】
トレー固定台１の台座３には、印象用トレーＴの取っ手部分を挿入する取手挿入孔６が形成される。そして、取手挿入孔６に挿入された取っ手部分は、取手固定用ネジ７ａ，７ｂを閉めることによって台座３の表面に押し付けられ、印象用トレーＴは台座３上に固定される。
【００１７】
また、図３に示す様に、分離装置は、歯科用模型を形成する石膏Ｐｌを固定する石膏固定部材８を備える。石膏固定部材８は、分離作業を行う際、石膏Ｐｌが印象用トレーＴ及び歯科用印象と共に移動しない様に石膏Ｐｌを固定する。また、具体的な固定方法としては、石膏固定部材８は、分離装置による分離方向とは略垂直方向に力を加えて石膏Ｐｌを固定することが好ましい。この様な石膏固定部材８は、石膏Ｐｌを載置する基台９と、基台９に形成された石膏固定部１１ａ，１１ｂ，１１ｃを備える。
【００１８】
石膏固定部１１ａ，１１ｂ，１１ｃは、分離作業中に石膏Ｐｌが基台９上から離れない様に、石膏Ｐｌを基台９上に固定する。具体的には、石膏固定部１１ａ，１１ｂ，１１ｃは、石膏Ｐｌの周囲から石膏Ｐｌに圧力を加える。この様な石膏固定部１１ａ，１１ｂ，１１ｃは、例えば略円形状を有する基台９の上面に、所定の間隔をもって配置されている。より具体的には、石膏固定部１１ｃは、基台９の任意の中心線上に形成されている。また、石膏固定部１１ａ，１１ｂは、該中心線を介して線対称な位置に形成されている。また、石膏固定部１１ａ，１１ｂは、基台９の中心部に向けて突出する石膏固定ピン１３ａ，１３ｂを備える。
【００１９】
石膏固定ピン１３ａ，１３ｂは、石膏Ｐｌが基台９に載置された際に、石膏Ｐｌの一部と接触する。具体的には、石膏固定ピン１３ａ，１３ｂは、先端部を石膏Ｐｌの一部に食い込ますことが可能となる様、先鋭な形状を備える。
【００２０】
また、石膏固定部１１ｃは、中心部に形成されたネジ孔に、石膏固定用ネジ１５が挿通される。石膏固定用ネジ１５は、その先端が石膏Ｐｌに食い込むことが可能となる様、先鋭な形状を備える。そして、石膏固定用ネジ１５の先鋭な先端と、石膏固定ピン１３ａ，１３ｂの先鋭な先端とは同一平面状に形成されていることが好ましい。これにより、石膏固定ピン１３ａ，１３ｂ及び石膏固定用ネジ１５によって石膏Ｐｌを固定した際に、石膏Ｐｌに対してモーメントが発生し難くなり、安定して石膏Ｐｌを固定することができる。また、石膏固定用ネジ１５は、石膏固定部１１ｃに形成されたネジ孔に挿通され、ユーザによって所定方向に回転させられることによって基台９の中心部に向けて、又は基台９の外側に向けて移動する。そして分離装置では、石膏固定ピン１３ａ，１３ｂ、及び石膏固定用ネジ１５によって基台９上に載置された石膏Ｐｌを固定する。具体的には石膏Ｐｌを基台９上に固定する場合、石膏Ｐｌの一部、好ましくは模型の基底となる、石膏の余剰部分を石膏固定ピン１３ａ，１３ｂに接触させた後、石膏固定用ネジ１５を回転させながらその先端を基台９の中心部に向けて移動させる。そして、石膏固定用ネジ１５が石膏Ｐｌと接触すると、石膏Ｐｌは石膏固定用ネジ１５によって石膏固定ピン１３ａ，１３ｂの方向に押し込まれる。そして、基台９上に載置された石膏Ｐｌは、石膏固定ピン１３ａ，１３ｂ、及び石膏固定用ネジ１５によって基台９上に固定される。
【００２１】
また、石膏固定部材８は、分離手段としての複数の分離用ネジ１７，１９，２１、及び該分離用ネジ１７，１９，２１が挿通されるネジ固定部２３，２５，２７を備える。ネジ固定部２３，２５，２７は、基台９の外周に沿って形成されており、ネジ固定部２３，２５，２７の中心部近傍には、内部に分離用ネジ１７，１９，２１に対応するネジ山が形成されたネジ孔２９，３１，３３を備える。
【００２２】
ネジ孔２９，３１，３３は、基台９の上面から、該面と略垂直方向に向けて穿設される。また、ネジ孔２９，３１，３３には、分離用ネジ１７，１９，２１が基台９の下面の方向から上面の方向に向けて挿通される。そして、ユーザが各分離用ネジ１７，１９，２１の取手部材３５を所定の方向に回転させることで、分離用ネジ１７，１９，２１の先端は、基台９の上面と垂直方向に向けて徐々に移動する。
【００２３】
この様なネジ孔２９，３１，３３に挿通された分離用ネジ１７，１９，２１の先端は、トレー固定台１の台座３の下面に接触する。そして、上述の様に、ユーザが取手部材３５を所定の方向に回転させることによって、分離用ネジ１７，１９，２１の先端が上方に移動し、台座３の下面を上方に押し上げることとなる。
【００２４】
この様な分離装置は、図４に示す様な方法で、石膏Ｐｌが付着した印象用トレーを固定する。具体的には、先ずユーザは、石膏Ｐｌが付着した印象用トレーＴを、基台９上に載置する。次に、ユーザは、印象用トレーＴに付着した石膏Ｐｌにおける歯型が形成されていない基底部分に石膏固定ピン１３ａ，１３ｂを押し当てる。次に、ユーザは、石膏固定用ネジ１５を所定の方向に回転させることによって、石膏固定用ネジ１５の先端が、印象用トレーＴに付着した石膏Ｐｌにおける歯型が形成されていない基底部分を、石膏固定ピン１３ａ，１３ｂの方向に押し込む様に、石膏Ｐｌ及び該石膏Ｐｌが付着した印象用トレーＴを固定する。次に、ユーザは、印象用トレーＴの取っ手部が取手挿入孔６に挿入される様に、印象用トレーＴをトレー固定台１を配置する。またこのときトレー固定台１は、分離用ネジ１７，１９，２１の延長線上に台座３の下面が位置する様に、配置される必要がある。次に、ユーザは、取手固定用ネジ７ａ，７ｂを下方に移動させ、その先端が印象用トレーＴの取っ手部を台座３の上面に押圧する様に、印象用トレーＴをトレー固定台１に固定する。この様に分離装置を一体的に構成した場合、同図に示すＡ−Ａ´断面は、図５に示す様な断面となる。
【００２５】
次に、ユーザは、石膏Ｐｌによって形成された歯牙の植立方向を考慮しながら分離用ネジ１７，１９，２１を個別に回転させる。例えば、分離用ネジ２１を回転させ、分離用ネジ２１を上方に移動させた場合、分離用ネジ２１の先端が台座３を押し上げる。このとき台座３の内、分離用ネジ２１と接触している箇所のみが押し上げられる為、台座３には所定の傾斜が与えられることとなる。そして、台座３に所定の傾斜が与えられると、印象用トレーＴの取っ手部が取手固定用ネジ７ａ，７ｂによって台座３に固定されていることに起因して、歯科用印象と石膏Ｐｌが付着している箇所の内、分離用ネジ２１に近接した箇所が上方に持ち上げられることとなる。そして、ユーザは、歯牙の植立方向を考慮しながら、分離用ネジ１７，１９，２１を個別に回転させることで、歯科用印象を石膏Ｐｌから分離することが可能となる。この場合において、特に前歯の植立方向を考慮すると、分離装置の前面に形成された分離用ネジ１９を用いて台座３を押し上げた後に、分離装置の側面に形成された分離用ネジ１７，２１を用いて台座３を押し上げるという順序で分離作業を行うことが好ましい。
【００２６】
この様に、第１の実施の形態にかかる分離装置によれば、腕力に頼らず、分離用ネジ１７，１９，２１を回転させることによって分離用ネジ１７，１９，２１の軸方向に発生する押圧力を利用して歯科用印象と石膏からなる歯科用模型とを容易に分離することができる。また、分離装置は、分離用ネジ１７，１９，２１を複数本備える為、様々な方向に歯科用印象を傾けることが可能となる。そして、分離装置では、分離用ネジ１７，１９，２１を個別に少しずつ回転させることで歯牙の植立方向を考慮して分離作業を行うことが可能となる為、石膏によって形成された歯科用模型が破損することを防止することが可能となる。
【００２７】
また、第１の実施の形態にかかる分離装置によれば、印象用トレーＴと、歯科用模型の歯型が形成されていない基底部分を固定して分離作業を行うことができる為、歯科用模型が破損してしまうことを防止することが可能となる。
【００２８】
また、第１の実施の形態にかかる分離装置によれば、印象用トレーや石膏に特殊な加工を施す必要がない為、歯科用印象を採取する歯科医師に対して何ら特殊な動作を要求する必要がなく、従来から用いられている印象用トレーをそのまま使用することが可能となる。
【００２９】
以下、本発明の第２の実施の形態について詳細な説明を行う。
【００３０】
図６に示す様に、第２の実施の形態にかかる分離装置は、印象用トレーＴを固定するトレー固定台１０１と、印象用トレーＴに収められた歯科用印象に付着した石膏Ｐｌを固定する石膏固定台１０２と、トレー固定台１０１に収められた歯科用印象と石膏固定台１０２に固定された石膏Ｐｌとを、石膏に形成された歯牙模型の植立方向に沿って分離する分離手段としての分離用ネジ１０３ａ，１０３ｂ，１０３ｃとを備える。
【００３１】
トレー固定台１０１には、歯科用印象と石膏Ｐｌとの分離作業時に印象用トレーＴが配置される。そしてトレー固定台１０１は、分離作業時に、配置された印象用トレーＴが動かない様に印象用トレーＴを固定する。また、トレー固定台１０１は、分離作業時に分離用ネジ１０３ａ，１０３ｂ，１０３ｃを保持することが可能に形成される。この様なトレー固定台１０１は、図７に示す様に、印象用トレーＴを配置する台座１０４と、分離手段としての分離用ネジ１０３ａ，１０３ｂ，１０３ｃを保持するネジ保持台１０５とを備える。
【００３２】
台座１０４は、上面が平坦に形成されたブロック形状を備える。台座１０４の上面は、略台形状に形成され、この様な台座１０４の平坦な上面には、歯科用印象に石膏Ｐｌが付着した印象用トレーＴが配置される。このとき印象用トレーＴは、石膏Ｐｌが上方に位置する様に配置される。また台座１０４は、分離作業時に分離用ネジ１０３ａ，１０３ｂ，１０３ｃから加わる圧力に耐えられる様に一定の強度を有する材料を用いて形成することが好ましい。また、台座１０４は、分離作業時に分離装置全体を安定させることができる様に、一定の重量を有することが好ましい。
【００３３】
ネジ保持台１０５は、分離作業時に、分離用ネジ１０３ａ，１０３ｂ，１０３ｃを保持する。具体的にはネジ保持台１０５は、略台形状に形成された台座１０４の上面のうち、長辺を除いた三辺に沿って形成される。そしてこの様に台座１０４の上面の三辺に沿ってネジ保持台１０５が形成されると、トレー固定台１０１は、中央部分が窪んだ形状となる。そしてトレー固定台１０１の中央部分に形成された窪みには、上述の様に印象用トレーＴが配置される。
【００３４】
またトレー固定台１０１は、印象用トレーＴの取っ手部分を挿入する取手挿入孔１０６を備える。取手挿入孔１０６には、印象用トレーＴをトレー固定台１０１上に固定する際に、印象用トレーＴの取っ手部分が挿入される。この様な取手挿入孔１０６は、ネジ保持台１０５の一部を、台座１０４の上面と平行方向に貫通して形成される。また取手挿入孔１０６は、ネジ保持台１０５の上方から穿設されたネジ孔１０７と合流する様に形成される。ネジ孔１０７には、上方から取手固定用ネジ１０８が挿入される。そして取手固定用ネジ１０８が閉められると、取手固定用ネジ１０８の先端部分が印象用トレーＴの取っ手部分を台座１０４に押し付ける。これにより印象用トレーＴは、台座１０４上に固定される。
【００３５】
またまたトレー固定台１０１は、分離用ネジ１０３ａ，１０３ｂ，１０３ｃの先端部を保持するネジ受け１０９ａ，１０９ｂ，１０９ｃを備える。ネジ受け１０９ａ，１０９ｂ，１０９ｃには、分離作業時に、分離用ネジ１０３ａ，１０３ｂ，１０３ｃの先端部が配置される。そして分離作業時には、分離用ネジ１０３ａ，１０３ｂ，１０３ｃからトレー固定台１０１に一定の圧力が加わるが、このときネジ受け１０９ａ，１０９ｂ，１０９ｃは、分離用ネジ１０３ａ，１０３ｂ，１０３ｃがトレー固定台１０１上から脱落しない様に分離用ネジ１０３ａ，１０３ｂ，１０３ｃをトレー固定台１０１上に保持する。具体的には、ネジ受け１０９ａ，１０９ｂ，１０９ｃは、ネジ保持台１０５の上面に形成された凹部である。各ネジ受け１０９ａ，１０９ｂ，１０９ｃは、３本の分離用ネジ１０３ａ，１０３ｂ，１０３ｃに対応して形成される。また、ネジ受け１０９ａ，１０９ｂ，１０９ｃは、石膏固定台１０２がトレー固定台１０１上で安定する様に、二等辺三角形を形成する様に配置される。そして分離用ネジ１０３ａ，１０３ｂ，１０３ｃが石膏固定台１０２を介して一体的に固定され、石膏固定台１０２がトレー固定台１０１上に配置されると、石膏固定台１０２から同一方向に向けて突出する複数の分離用ネジ１０３ａ，１０３ｂ，１０３ｃの先端は、対応するネジ受け１０９ａ，１０９ｂ，１０９ｃに収まる様に配置される。この様なネジ受け１０９ａ，１０９ｂ，１０９ｃの直径としては、分離用ネジ１０３ａ，１０３ｂ，１０３ｃの直径が５ｍｍであるとすると、略２０ｍｍ程度であることが好ましい。この様に分離用ネジ１０３ａ，１０３ｂ，１０３ｃの直径に対してネジ受け１０９ａ，１０９ｂ，１０９ｃの直径を比較的大きくすることで、分離用ネジ１０３ａ，１０３ｂ，１０３ｃは、ネジ受け１０９ａ，１０９ｂ，１０９ｃ内部にスライド可能に保持される。そして分離用ネジ１０３ａ，１０３ｂ，１０３ｃがトレー固定台１０１上に、スライド可能に保持されることで、石膏固定部材１０２は、分離作業時に印象用トレーＴと石膏とが歯牙の植立方向に応じて自然に水平方向に移動することが可能となる為、石膏が破損することを防止することができる。
【００３６】
またトレー固定台１０１は、印象用トレーＴのうち、歯科用印象を収容するトレー部分を固定する固定部１１０ａ，１１０ｂを備える。トレー固定部材１１０ａ，１１０ｂは、分離作業時に印象用トレーＴが上方に移動しない様に、印象用トレーＴを台座１０４上に固定する。この様なトレー固定部材１１０ａ，１１０ｂは、台座１０４の中心線Ｌを介して線対称の位置に、台座１０４に固定される。尚、トレー固定部材１１０ａと、トレー固定部材１１０ｂとは、固定される位置以外の構成については、同一の構成を有する為、以下ではトレー固定部材１１０ａについてのみ詳細な説明を行う。
【００３７】
具体的にはトレー固定部材１１０ａは、トレー固定用ネジ１１１ａと、トレー固定用ネジ１１１ａの台座１０４の上面からの高さを調整する調整用ステー１１２ａとを備える。トレー固定用ネジ１１１ａは、台座１０４の上面と略平行の軸を有し、回動することによって台座１０４の上面と略平行方向に移動する。そして分離作業時には、トレー固定用ネジ１１１ａの先端部は、例えば印象用トレーＴの臼歯に対応する部分に接触する様に配置される。これにより印象用トレーＴは、取手部分を含めた３箇所でバランス良くトレー固定台１０１上に固定される。
【００３８】
調整用ステー１１２ａは、直方体状に形成され、調整用ステー１１２ａの軸方向に延在する様な細長形状のボルト孔１１３ａと、トレー固定用ネジ１１１ａが挿通されるネジ孔１１４ａとを備える。そして調整用ステー１１２ａは、ボルトＢをボルト孔１１３ａに挿通することで台座１０４の側面に固定される。またこのとき調整用ステー１１２ａは、ネジ孔１１４ａが台座１０４の上面より、所定の距離分、上方に突出する様に配置される。そしてネジ孔１１４ａが台座１０４の上面から突出する距離は、ボルト孔１１３ａを介して調整用ステー１１２ａを上下に移動させることで調整することが可能となる。また、調整用ステー１１２ａは、ボルトＢ回りに回動可能に支持される為、調整用ステー１１２ａの傾きを変化させることも可能となる。この様な調整用ステー１１２ａを用いることによって、分離装置は、トレー固定用ネジ１１１ａの台座の上面からの高さ、及び左右の位置を自由に調整することが可能となり、様々な種類の印象用トレーに対応することが可能となる。
【００３９】
また、石膏固定台１０２は、図８に示す様に、トレー固定台１０１に対応する台形を縁取った様な形状の基材１１５と、基材１１５の外部から内部に向けて基材１１５を貫通する方向に配置される石膏固定用ネジ１１６ａ，１１６ｂ，１１６ｃを備える。また、石膏固定台１０２は、石膏固定用ネジ１１６ａ，１１６ｂ，１１６ｃを保持する調整ステー１１７ａ，１１７ｂ，１１７ｃを備える。そして分離装置では、石膏固定用ネジ１１６ａ，１１６ｂ，１１６ｃ及び調整ステー１１７ａ，１１７ｂ，１１７ｃによって、それぞれが石膏固定部材１１８ａ，１１８ｂ，１１８ｃを構成する。
【００４０】
基材１１５は、その長辺部分における略中央に、調整用ステー１１７ａを固定する為のボルト孔１１９ａを備える。そして調整用ステー１１７ａは、上述した調整用ステー１１２ａと同様の構成を備える。そして調整用ステー１１７ａは、ボルトＢをボルト孔１２０ａに挿通して基材１１５に固定される。そして石膏固定用ネジ１１６ａは、ネジ孔１２１ａを介して調整用ステー１１７ａに挿通され、その先端部が、基材の中空部に配置される石膏Ｐｌに接触する様に配置される。石膏固定用ネジ１１６ａの先端部は、先鋭な形状を備え、石膏Ｐｌに食い込む様に形成される。
【００４１】
また、石膏固定用ネジ１１６ｂ，１１６ｃは、それぞれ調整用ステー１１７ｂ，１１７ｃを介して、基材１１５の短辺と斜辺との角部近傍に配置される。そして、分離装置では、石膏Ｐｌを３点で支持する。具体的には、石膏固定用ネジ１１６ａは、石膏Ｐｌの前歯に相当する部分の裏側から石膏Ｐｌを支持し、石膏固定用ネジ１１６ｂ，１１６ｃはそれぞれ石膏Ｐｌの前歯に相当する部分の略正面から石膏Ｐｌを支持する。
【００４２】
また、石膏固定用ネジ１１６ａ，１１６ｂ，１１６ｃは、先端部が石膏固定台１０２に対して上下方向に移動可能に形成されることが好ましい。石膏固定用ネジ１１６ａ，１１６ｂ，１１６ｃは、調整用ステー１１７ａ，１１７ｂ，１１７ｃに形成されたネジ孔１２１ａ，１２１ｂ，１２１ｃを介して調整用ステー１１７ａ，１１７ｂ，１１７ｃに保持される。そしてこのとき石膏固定用ネジ１１６ａ，１１６ｂ，１１６ｃは、ネジ孔１２１ａ，１２１ｂ，１２１ｃを支点として、上下方向に回動する様に支持される。また、石膏固定用ネジ１１６ａ，１１６ｂ，１１６ｃは、図９に示す様に、台座１０４の上面に対して微小な鋭角を形成する様に調整用ステー１１７ａ，１１７ｂ，１１７ｃに保持されることが好ましい。換言すれば、石膏固定用ネジ１１６ａ，１１６ｂ，１１６ｃは、その先端部が上方を向く様に、石膏固定用ネジ１１６ａ，１１６ｂ，１１６ｃの軸と台座１０４の上面とが鋭角を形成する様に保持される。この様な石膏固定用ネジ１１６ａ，１１６ｂ，１１６ｃの先端部を上下方向に移動可能に、且つ、石膏固定用ネジ１１６ａ，１１６ｂ，１１６ｃが台座１０４の上面に対して微小な鋭角を形成する構成は、石膏固定用ネジ１１６ａ，１１６ｂ，１１６ｃの直径をネジ孔１２１ａ，１２１ｂ，１２１ｃの直径よりも小さくなる様に形成し、且つ、調整用ステー１１７ａ，１１７ｂ，１１７ｃの立設する角度を傾けてネジ孔１２１ａ，１２１ｂ，１２１ｃの角度を傾け又はネジ孔１２１ａ，１２１ｂ，１２１ｃが穿設される角度を予め調整することで実現される。
【００４３】
この様に石膏固定用ネジ１１６ａ，１１６ｂ，１１６ｃの直径をネジ孔１２１ａ，１２１ｂ，１２１ｃの直径よりも小さくすることで石膏固定用ネジ１１６ａ，１１６ｂ，１１６ｃを石膏固定台１０２に対して上下方向に移動可能となる。この場合、例えば石膏固定用ネジ１１６ａ，１１６ｂ，１１６ｃの直径が５ｍｍであったとすると、ネジ孔１２１ａ，１２１ｂ，１２１ｃの直径を６ｍｍ程度に形成する。これにより石膏固定用ネジ１１６ａ，１１６ｂ，１１６ｃは、先端部が移動可能に、且つ、ネジ孔１２１ａ，１２１ｂ，１２１ｃから脱落しない様に調整用ステー１１７ａ，１１７ｂ，１１７ｃに保持される。
【００４４】
また、調整用ステー１１７ａ，１１７ｂ，１１７ｃの立設する角度を傾けることでネジ孔１２１ａ，１２１ｂ，１２１ｃの角度を傾け、又はネジ孔１２１ａ，１２１ｂ，１２１ｃが穿設される角度を予め上方に向けて調整することで石膏固定用ネジ１１６ａ，１１６ｂ，１１６ｃが台座の上面に対して微小な鋭角を形成する。
【００４５】
そしてこの様な構成によれば、先ず、石膏Ｐｌを石膏固定台１０２に固定する際には、石膏固定用ネジ１１６ａ，１１６ｂ，１１６ｃは、先端部が上方を向く様に石膏Ｐｌに食い込む。そして分離作業時には、石膏Ｐｌに対しては下向きに力が加わる為、石膏固定用ネジ１１６ａ，１１６ｂ，１１６ｃの先端部が下向きに移動し、石膏固定用ネジ１１６ａ，１１６ｂ，１１６ｃは、ネジ孔１２１ａ，１２１ｂ，１２１ｃを支点として、下方向に回動する。そして石膏固定用ネジ１１６ａ，１１６ｂ，１１６ｃが下方向に回動すると、各石膏固定用ネジ１１６ａ，１１６ｂ，１１６ｃの先端部同士の間の距離が縮まり、石膏固定用ネジ１１６ａ，１１６ｂ，１１６ｃがより深く石膏Ｐｌに食い込み、石膏Ｐｌはより強固に保持される。
【００４６】
この様な分離装置を使用する際、ユーザは先ず、図１０に示す様に、石膏Ｐｌが収納された状態の印象用トレーＴを台座１０４の上面に配置すると共に、印象用トレーＴの取っ手部分を取手挿入孔１０６に挿入し、取手固定用ネジ１０８を用いて印象用トレーＴの取っ手部分を固定する。このとき印象用トレーＴは、石膏Ｐｌが上方に位置する様に配置される。次にユーザは、トレー固定部材１１０ａ，１１０ｂを用いて印象用トレーＴを台座１０４上に確実に固定する。具体的にはユーザは、トレー固定用ネジ１１１ａ，１１１ｂを回動させ、トレー固定用ネジ１１１ａ，１１１ｂの先端部分を印象用トレーＴに接触させる。これにより印象用トレーＴは、トレー固定台１０１に固定される。
【００４７】
次にユーザは、石膏固定台１０２をトレー固定台１０１上に配置する。このとき石膏固定台１０２は、分離用ネジ１０３ａ，１０３ｂ，１０３ｃが、対応するネジ受け１０９ａ，１０９ｂ，１０９ｃに収まる様に配置される。また、このとき分離用ネジ１０３ａ，１０３ｂ，１０３ｃは、緩められた状態にあり、これにより石膏固定台１０２の基材１１５は、トレー固定台１０１のネジ保持台１０５に近接する様な状態となる。
【００４８】
次にユーザは、石膏固定用ネジ１１６ａ，１１６ｂ，１１６ｃを回動させ、石膏固定用ネジ１１６ａ，１１６ｂ，１１６ｃの先端部を石膏Ｐｌに接触させる。これにより石膏Ｐｌは、石膏固定台１０２に固定される。
【００４９】
次にユーザは、図１１に示す様に、植立方向を検討しながら分離用ネジ１０３ａ，１０３ｂ，１０３ｃを少しずつ回転させて印象用トレーＴに収められた歯科用印象と、石膏Ｐｌとを分離する。例えば分離用ネジ１０３ａを回転させると、基材１１５が分離用ネジ１０３ａに沿って上昇する。そして基材１１５の上昇に伴って、基材１１５に固定された石膏固定用ネジ１１６ｂが上昇する為、石膏Ｐｌは上方に持ち上げられる。このとき石膏Ｐｌに下向きの力が加わることに起因して、石膏固定用ネジ１１６ａ，１１６ｂ，１１６ｃは、ネジ孔１２１ａ，１２１ｂ，１２１ｃを支点として回動し、石膏Ｐｌをより強固に保持する。
【００５０】
この様に、第２の実施の形態にかかる分離装置によれば、腕力に頼らず、分離用ネジ１０３ａ，１０３ｂ，１０３ｃを回転させることによって分離用ネジ１０３ａ，１０３ｂ，１０３ｃの軸方向に発生する押圧力を利用して歯科用印象と石膏からなる歯科用模型とを容易に分離することができる。また、分離装置は、分離用ネジ１０３ａ，１０３ｂ，１０３ｃを複数本備え、それぞれが独立して石膏固定台１０２とトレー固定台１０１との間の距離を調整可能に形成される為、様々な方向に歯科用印象を傾けることが可能となる。そして、分離装置では、分離用ネジ１０３ａ，１０３ｂ，１０３ｃを個別に少しずつ回転させることで歯牙の植立方向を考慮して分離作業を行うことが可能となる為、石膏によって形成された歯科用模型が破損することを防止することが可能となる。
【００５１】
また第２の実施の形態にかかる分離装置によれば、分離作業時に歯科用印象に形成された歯牙の形状によって石膏Ｐｌが垂直に上昇せずに斜め方向に上昇した場合においても、石膏固定台１０２を支持する分離用ネジ１０３ａ，１０３ｂ，１０３ｃがトレー固定台１０１上にスライド可能に保持されている為、石膏Ｐｌの台座１０４の上面に対する水平方向への移動に伴って石膏固定台１０２も移動する。これにより、石膏Ｐｌが強制的に上昇させられることによって石膏Ｐｌが破損してしまうことを防止することができる。
【００５２】
また、上述の実施の形態では、石膏Ｐｌを固定する際に、石膏固定用ネジ１１６ａ，１１６ｂ，１１６ｃの先端部を石膏Ｐｌに食い込ませることとしたが、例えば歯科医師から提供された歯科用印象に石膏Ｐｌが充填されていない場合には、歯科用印象に石膏Ｐｌを充填する作業に際して、石膏固定用ネジ１１６ａ，１１６ｂ，１１６ｃの先端部を引掛けることが可能なフック等の引掛部材を石膏に埋め込むことも可能である。この場合、引掛部材を石膏Ｐｌの上方に露出している面に、石膏固定用ネジ１１６ａ，１１６ｂ，１１６ｃに対応させて埋め込む。そして引掛部材の埋め込み部分にネジ山を形成しておくことにより、歯科用模型の分離後に、容易に引掛部材を取り除くことができる。これにより、歯科用模型の底部が破損することを防止することができる。
【００５３】
尚、本発明は上述の実施の形態に限られるものではなく、本発明の趣旨を逸脱しない範囲で適宜変更可能である。
【００５４】
例えば、分離装置による分離方法としては、分離用ネジ１７，１９，２１を用いることとしたが、石膏と歯科用印象とを複数の方向から、徐々に分離することが可能な構成であればどの様な構成であっても良い。
【００５５】
また例えば、分離装置は分離用ネジ１７，１９，２１を３本備える構成としたが、分離用ネジ１７，１９，２１の本数は３本に限られるものではない。
【００５６】
また例えば、石膏固定手段として、石膏固定部材８を用いて詳細な説明を行ったが、石膏固定手段としては、分離作業中に石膏Ｐｌを固定することが可能な構成であればどの様な構成であっても良い。また、トレー固定手段として、トレー固定台１を用いて詳細な説明を行ったが、トレー固定手段としては、分離作業中に印象用トレーＴを固定することが可能な形状であればどの様な形状であっても良い。
【００５７】
また、分離装置では、石膏固定部材８に分離用ネジ１７，１９，２１を挿通する石膏固定部１１ａ，１１ｂ，１１ｃを形成する構成について詳細な説明を行ったが、石膏固定部１１ａ，１１ｂ，１１ｃは、トレー固定部材１に形成する構成としても良い。
【００５８】
また、基台９の変形例として、基台９の中心部を空洞、又は窪んだ形状とすることも可能である。これにより、例えば石膏Ｐｌにおける基台９と接触する部分が平坦でない場合においても、石膏固定部材８によって、安定して石膏Ｐｌを固定することが可能となる。
【図面の簡単な説明】
【００５９】
【図１】本発明の第１の実施の形態に係る分離装置のトレー固定部材を示す斜視図であり、同トレー固定台の構成について説明する為の図である。
【図２】同トレー固定台によって固定される印象用トレーを示す斜視図である。
【図３】同分離装置の石膏固定部材を示す斜視図であり、同石膏固定部材の構成について説明する為の図である。
【図４】同分離装置によって分離作業を行う際の分離装置の状態を示す斜視図である。
【図５】同分離装置によって分離作業を行う際のＡ−Ａ´断面の断面図である。
【図６】本発明の第２の実施の形態に係る分離装置の斜視図であり、同分離装置の構成について説明する為の図である。
【図７】同分離装置のトレー固定台を示す斜視図であり、同トレー固定台の構成について説明する為の図である。
【図８】同分離装置の石膏固定台を示す斜視図であり、同石膏固定台の構成について説明する為の図である。
【図９】同石膏固定台を用いて石膏を固定した状態の概略を示す断面図である。
【図１０】同分離装置によって分離作業を行う際の分離装置の状態を示す断面図である。
【図１１】同分離装置によって分離作業を行う際の分離装置の状態を示す断面図である。
【符号の説明】
【００６０】
１    トレー固定台
３    台座
５    トレー固定部
６    取手挿入孔
７ａ，７ｂ    取手固定用ネジ
８    石膏固定部材
９    基台
１１ａ，１１ｂ，１１ｃ    石膏固定部
１３ａ，１３ｂ    石膏固定ピン
１５    石膏固定用ネジ
１７，１９，２１    分離用ネジ
２１    分離用ネジ
２３，２５，２７    ネジ固定部
２９，３１，３３    ネジ孔
３５    取手部材
１０１    トレー固定台
１０２    石膏固定台
１０３ａ，１０３ｂ，１０３ｃ    分離用ネジ
１０４    台座
１０５    ネジ保持台
１０６    取手挿入孔
１０７    ネジ孔
１０８    取手固定用ネジ
１０９ａ，１０９ｂ，１０９ｃ    ネジ受け
１１０ａ，１１０ｂ    トレー固定部材
１１１ａ，１１１ｂ    トレー固定用ネジ
１１２ａ    調整用ステー
１１３ａ    ボルト孔
１１４ａ    ネジ孔
１１５    基材
１１６ａ，１１６ｂ，１１６ｃ    石膏固定用ネジ
１１７ａ，１１７ｂ，１１７ｃ    調整ステー
１１８ａ，１１８ｂ，１１８ｃ    石膏固定部材
１１９ａ，１１９ｂ，１１９ｃ    ボルト孔
Ｐｌ    石膏
Ｔ    印象用トレー
【図１】
2008006271.tif 000003
【図２】
2008006271.tif 000004
【図３】
2008006271.tif 000005
【図４】
2008006271.tif 000006
【図５】
2008006271.tif 000007
【図６】
2008006271.tif 000008
【図７】
2008006271.tif 000009
【図８】
2008006271.tif 000010
【図９】
2008006271.tif 000011
【図１０】
2008006271.tif 000012
【図１１】
2008006271.tif 000013